(57)【要約】【課題】  ＭＰＥＧ２−ＴＳに含まれるプログラム仕様情報（ＰＳＩ）の記述子（Descriptor）は種々あるが、これらの記述子のうち所定の記述子の有効利用を図る。【解決手段】  ＭＰＥＧ２−ＴＳをデコードする機器１０は、受信中又は再生中のＴＳからＰＳＩを取得し、ＭＰＥＧ２−ＴＳ ＰＳＩ解析装置１１によりＰＳＩの例えばコンテント記述子が示すジャンルを取得する。照明制御信号発生装置１３は、ジャンルに対応した室内照明の明るさを示す情報を外部機器制御テーブル１２から得て照明制御信号を生成して、室内照明機器２１に送信してその照明の明るさを制御する。テレビ制御信号発生装置１４は、ジャンルに対応した画質を示す情報を外部機器制御テーブル１２から得て画質制御信号を生成して、テレビ受像機２２に送信してその画質を制御する。コンポーネント記述子が示すアスペクト比の情報を利用して、画面サイズを変更することもできる。【選択図】            図１
2006345486.tif 000002
【特許請求の範囲】
【請求項１】
複数の番組情報と共にこれら複数の番組情報の中から所望の番組情報を選択して再生表示できるようにするプログラム仕様情報が多重化されているトランスポートストリームから前記プログラム仕様情報に含まれる記述子を抽出し、この記述子の情報に基づいて外部機器の動作を制御する外部機器制御装置であって、
入力された前記トランスポートストリームから前記プログラム仕様情報に含まれる前記記述子のうち所定の記述子を抽出し、この記述子の情報を解析する解析手段と、
前記外部機器の動作の設定情報を記憶する記憶手段と、
前記解析手段の解析結果に応じて、前記記憶手段に記憶されている前記設定情報を参照し、前記外部機器の動作を制御する制御信号を生成して前記外部機器へ送信する制御信号生成出力手段と
を有することを特徴とする外部機器制御装置。
【請求項２】
複数の番組情報と共にこれら複数の番組情報の中から所望の番組情報を選択して再生表示できるようにするプログラム仕様情報が多重化されているトランスポートストリームから前記プログラム仕様情報に含まれる記述子を抽出し、この記述子の情報に基づいて外部機器の動作を制御する外部機器制御装置であって、
入力された前記トランスポートストリームから前記プログラム仕様情報に含まれる前記記述子のうち所定の記述子を抽出して前記外部機器へ送信する記述子送信手段を有し、前記外部機器が受信した前記記述子の情報に基づいて、前記外部機器自身の動作を制御させることを特徴とする外部機器制御装置。
【請求項３】
複数の番組情報と共にこれら複数の番組情報の中から所望の番組情報を選択して再生表示できるようにするプログラム仕様情報が多重化されているトランスポートストリームをデコードするデコード機器と、このデコード機器に接続された外部機器とからなり、前記プログラム仕様情報に含まれる記述子を抽出し、この記述子の情報に基づいて前記外部機器の動作を制御する外部機器制御システムであって、
前記デコード機器は、入力された前記トランスポートストリームから前記プログラム仕様情報に含まれる前記記述子のうち、所定の記述子を抽出して前記外部機器へ送信する記述子送信手段を有すると共に、
前記外部機器は、
前記デコード機器から送信された前記所定の記述子を受信して、その所定の記述子の情報を解析する記述子解析手段と、
任意に指定された動作制御パラメータを記憶する記憶手段と、
前記記述子解析手段の解析結果と前記記憶手段に記憶されている前記動作制御パラメータとに基づき、当該外部機器の動作を制御する制御信号を生成して、当該外部機器の機器動作部を制御する制御手段とを有することを特徴とする外部機器制御システム。
【請求項４】
前記記述子送信手段は、
前記記述子を送信する際に、前記外部機器との接続状況を確認する接続状況確認手段と、
前記接続状況確認手段により接続が確立していることを確認できないときは、前記記述子を送信せず、ユーザーに記述子送信が完了しなかったことを通知する接続失敗通知手段と、
前記接続状況確認手段により接続が確立していることを確認できたときは、接続確立を確認した前記外部機器へ前記記述子を送信する送信手段とからなり、
前記外部機器は、
前記制御手段により自身の機器動作部を制御して、その制御動作が完了したことを示す設定完了通知を前記デコード機器へ送信する設定完了通知手段を更に有することを特徴とする請求項３記載の外部機器制御システム。
【請求項５】
前記外部機器は、前記制御手段により自身の機器動作部の制御動作完了後に、手動操作による変更に対応した記述子を解析して、その解析した記述子に応じた操作ログを記憶する解析手段と、前記操作ログに応じて前記記憶手段に記憶されている前記動作制御パラメータを更新する更新手段とを更に有することを特徴とする請求項３又は４記載の外部機器制御システム。
【発明の詳細な説明】
【技術分野】
【０００１】
本発明は外部機器制御装置及び機器制御システムに係り、特にＭＰＥＧ２（Moving Picture Experts Group 2）の規格に従い圧縮符号化されたディジタル信号列であるトランスポートストリーム（ＴＳ）に多重化されているプログラム仕様情報（ＰＳＩ：Program Specific Information）を取得して外部機器を制御する外部機器制御装置及びその外部機器制御装置を含む機器制御システムに関する。
【背景技術】
【０００２】
画像圧縮符号化方式として広く用いられているＭＰＥＧ２で圧縮符号化されたディジタル信号列であるトランスポートストリーム（ＴＳ）に、複数の番組情報（プログラム）が多重化されている場合、受信側でその複数の番組情報の中から目的の番組情報を選択して再生表示できるようにするために、プログラム仕様情報（ＰＳＩ：Program Specific Information）がＴＳに多重化されている。
【０００３】
このＰＳＩはISO/IEC13818-1で規格化されている伝送制御情報であり、プログラム関係テーブル（ＰＡＴ：Program Association Table）、プログラムマップテーブル（ＰＭＴ：Program Map Table）、選択情報テーブル（ＳＩＴ：Selection Information Table）などのテーブルや、その中で用途別に用いられる様々な記述子（Descriptor）から構成される。上記のＰＳＩは複数の番組情報（プログラム）が多重されたＴＳからなるディジタル放送信号を受信する受信装置において、所望の番組情報を選局するためなどに用いられている（例えば、特許文献１参照）。
【０００４】
上記の特許文献１には、外部の記憶装置と接続されており、受信されたＴＳから番組を構成するエレメンタリストリーム（ＥＳ）とその番組の制御情報とを含むパーシャルＴＳを第１記憶手段に記憶させ、外部の記憶装置に当該番組のパーシャルＴＳを出力するための番組付帯情報を制御情報から抽出して生成する第１制御手段と、上記の番組付帯情報を当該番組を含む第１記憶手段に記憶されたパーシャルＴＳと対応付けて記憶する第２記憶手段と、上記の番組付帯情報に従い、第１記憶手段に記憶されたパーシャルＴＳの制御情報を更新するように制御する第２制御手段と、第２制御手段の指示を受けた後に第１記憶手段からパーシャルＴＳを読み出し、制御情報を更新して外部の記憶装置に出力するインターフェースとを備えた構成のディジタル放送受信装置が開示されている。
【０００５】
そして、このディジタル放送受信装置の上記の第１制御手段は、上記の制御情報に含まれるＰＭＴに記載されたコピー制御情報を抽出し、上記の第２制御手段は、番組付帯情報に含まれるコピー制御情報が”コピー１回限り”のとき、ＰＭＴのコピー制御情報を”コピー１回限り”とし、かつ、”ムーブ中”に変更するよう指示する指示部を有し、上記のインターフェースはＰＭＴの内容を指示に従い更新して出力する構成が開示されている。
【０００６】
【特許文献１】特開２００４−１０４７５２号公報
【発明の開示】
【発明が解決しようとする課題】
【０００７】
しかるに、従来はＰＳＩは上記の特許文献１記載のディジタル放送受信装置のように、ＰＭＴの記述子であるコピー制御情報を使用しているが、ＰＳＩの記述子は種々あり、例えば、コンポーネント信号の種別を示すコンポーネント記述子やプログラムのジャンルを示すコンテント記述子などがあり、従来はこれらの記述子を有効に利用しておらず、その記述子の内容そのものを単に表示する程度の使用しか行っていない。
【０００８】
本発明は上記の点に鑑みなされたもので、ＭＥＰＧ２−ＴＳのＰＳＩに含まれる記述子の情報を用いて、ＭＰＥＧ２−ＴＳをデコードする機器の外部に接続された外部機器を制御する外部機器制御装置及び機器制御システムを提供することを目的とする。
【課題を解決するための手段】
【０００９】
上記の目的の達成のため、本発明は、複数の番組情報と共にこれら複数の番組情報の中から所望の番組情報を選択して再生表示できるようにするプログラム仕様情報が多重化されているトランスポートストリームからプログラム仕様情報に含まれる記述子を抽出し、この記述子の情報に基づいて外部機器の動作を制御する外部機器制御装置であって、入力されたトランスポートストリームからプログラム仕様情報に含まれる記述子のうち所定の記述子を抽出し、この記述子の情報を解析する解析手段と、外部機器の動作の設定情報を記憶する記憶手段と、解析手段の解析結果に応じて、記憶手段に記憶されている設定情報を参照し、外部機器の動作を制御する制御信号を生成して外部機器へ送信する制御信号生成出力手段とを有することを特徴とする。
【００１０】
この発明によれば、入力されたトランスポートストリーム中のプログラム仕様情報に含まれる記述子のうち、所定の記述子の情報を解析し、その解析結果に応じて、外部機器の動作を制御することができる。
【００１１】
また、上記の目的を達成するため、本発明は、複数の番組情報と共にこれら複数の番組情報の中から所望の番組情報を選択して再生表示できるようにするプログラム仕様情報が多重化されているトランスポートストリームからプログラム仕様情報に含まれる記述子を抽出し、この記述子の情報に基づいて外部機器の動作を制御する外部機器制御装置であって、入力されたトランスポートストリームからプログラム仕様情報に含まれる記述子のうち所定の記述子を抽出して外部機器へ送信する記述子送信手段を有し、外部機器が受信した記述子の情報に基づいて、外部機器自身の動作を制御させることを特徴とする。
【００１２】
この発明では、入力されたトランスポートストリームのプログラム仕様情報に含まれる所定の記述子を抽出して外部機器へ送信することにより、外部機器が受信した所定の記述子を解析し、その解析結果に応じて外部機器固有の動作を行う。
【００１３】
また、上記の目的を達成するため、本発明は、複数の番組情報と共にこれら複数の番組情報の中から所望の番組情報を選択して再生表示できるようにするプログラム仕様情報が多重化されているトランスポートストリームをデコードするデコード機器と、このデコード機器に接続された外部機器とからなり、プログラム仕様情報に含まれる記述子を抽出し、この記述子の情報に基づいて外部機器の動作を制御する外部機器制御システムであって、上記のデコード機器は、入力されたトランスポートストリームからプログラム仕様情報に含まれる記述子のうち、所定の記述子を抽出して外部機器へ送信する記述子送信手段を有すると共に、上記の外部機器は、デコード機器から送信された所定の記述子を受信して、その所定の記述子の情報を解析する記述子解析手段と、任意に指定された動作制御パラメータを記憶する記憶手段と、記述子解析手段の解析結果と記憶手段に記憶されている動作制御パラメータとに基づき、当該外部機器の動作を制御する制御信号を生成して、当該外部機器の機器動作部を制御する制御手段とを有することを特徴とする。
【００１４】
この発明では、トランスポートストリームをデコードする機器では、入力されたトランスポートストリームのプログラム仕様情報に含まれる所定の記述子を抽出して外部機器へ送信することにより、外部機器が受信した所定の記述子を解析し、その解析結果と任意に指定された動作制御パラメータとに応じて外部機器固有の動作を行う。
【００１５】
また、上記の目的を達成するため、本発明の外部機器制御システムは、記述子送信手段は、記述子を送信する際に、外部機器との接続状況を確認する接続状況確認手段と、接続状況確認手段により接続が確立していることを確認できないときは、記述子を送信せず、ユーザーに記述子送信が完了しなかったことを通知する接続失敗通知手段と、接続状況確認手段により接続が確立していることを確認できたときは、接続確立を確認した外部機器へ記述子を送信する送信手段とからなり、外部機器は、制御手段により自身の機器動作部を制御して、その制御動作が完了したことを示す設定完了通知をデコード機器へ送信する設定完了通知手段を更に有することを特徴とする。
【００１６】
また、上記の目的を達成するため、本発明の外部機器制御システムは、外部機器は、制御手段により自身の機器動作部の制御動作完了後に、手動操作による変更に対応した記述子を解析して、その解析した記述子に応じた操作ログを記憶する解析手段と、操作ログに応じて記憶手段に記憶されている動作制御パラメータを更新する更新手段とを更に有することを特徴とする。この発明では、ユーザーの意図に応じた制御ができる。
【発明の効果】
【００１７】
本発明によれば、入力されたトランスポートストリームからプログラム仕様情報に含まれる所定の記述子を解析して得られた解析結果と外部機器設定情報とにより生成した制御信号を外部機器へ送信するか、あるいはトランスポートストリームをデコードする機器から送信されたプログラム仕様情報に含まれる所定の記述子を外部機器が受信して、当該外部機器が所定の記述子を解析して得られた解析結果と動作制御パラメータとに基づき制御信号を生成し、その制御信号により外部機器を動作制御するようにしたため、プログラム仕様情報に含まれる所定の記述子を、外部機器に所望の動作を行わせるように有効活用でき、また、記述子の内容を利用する外部機器を容易に追加することができる。
【００１８】
また、本発明によれば、外部機器に対するデコード機器による制御動作完了後にユーザーが外部機器の動作を変更した時は、その動作に対応した記述子を解析して操作ログを記憶し、動作制御パラメータを更新する更新手段を外部機器に有するようにしたため、ユーザーの意図に応じた動作制御ができ、外部機器の使い勝手を向上できる。
【発明を実施するための最良の形態】
【００１９】
次に、本発明の実施の形態について図面と共に説明する。図１は本発明になる外部機器制御装置の一実施の形態のブロック図を示す。同図に示すように、本実施の形態は外部機器制御装置としての、ＶＤＲなどのＭＰＥＧ２−ＴＳをデコードする機器１０と、この機器１０に接続された外部機器としての室内照明機器２１及びテレビ受像機２２とからなる。ＭＰＥＧ２−ＴＳをデコードする機器１０は、ＭＰＥＧ２−ＴＳ ＰＳＩ解析装置１１と、外部機器制御テーブル１２と、照明制御信号発生装置１３と、テレビ制御信号発生装置１４とを内蔵している。
【００２０】
本実施の形態のＭＰＥＧ２−ＴＳをデコードする機器１０は、外部機器の制御にＰＳＩの一部である、コンポーネント記述子及びコンテント記述子を利用する。各記述子の利用法ついて、順に説明する。
【００２１】
まず、コンポーネント記述子について説明する。コンポーネント記述子はコンポーネント信号の種別を示し、アスペクト比・映像信号の走査線数・走査方式の情報を持っている。本実施の形態では、このうちのアスペクト比の情報を利用して、アスペクト比４：３ならばノーマルモード、アスペクト比１６：９ならばワイドモード、といったように自動的に画面サイズを制御する。
【００２２】
次に、コンテント記述子について説明する。コンテント記述子は、プログラムのジャンルを示すもので、大分類ジャンルと中分類ジャンルの２つのジャンル情報を持つ。それぞれ４ビットサイズの情報で、大分類ジャンルで大きくジャンル分けし、さらに中分類ジャンルで細かくジャンル分けがなされる。コンテント記述子内の大分類ジャンルのジャンル分けを表１に示す。
【００２３】
【表１】
2006345486.tif 000003
表１に示すように、ニュース・報道、スポーツ、情報・ワイドショー、ドラマ、音楽、バラエティ、映画、その他のジャンル分けがなされている。本実施の形態では、大分類ジャンルのジャンルを用いてユーザーが設定する外部機器制御テーブル１２からの信号が入力されると、照明制御信号発生装置１３により室内照明機器２１を制御し、テレビ制御信号発生装置１４によりテレビ受像機２２の画質を制御する。
【００２４】
各ジャンルに応じて、どのような制御を行うかは、ユーザー設定が可能である。外部機器制御テーブル１２へのユーザーによる初期設定画面を図２に示す。同図に示すように、初期値では、照明は最高値の明るさ、画質はスタンダードモードに設定しておく。この初期設定画面に対して、ユーザーの好みに応じて、図３のように、各番組ジャンルに応じて照明設定、画質設定を行う。これにより、例えば、再生中のプログラムが映画であれば、室内の照明は暗く、テレビ画面の画質はシアターモードに、といった形式で外部機器を制御する。
【００２５】
次に、ＰＳＩの取得から、照明・画質・画面サイズが制御されるまでの本実施の形態の動作について図４のフローチャートと共に説明する。まず、図１のＭＰＥＧ２−ＴＳをデコードする機器１０は、例えばディジタル放送を受信して得た、又は光ディスク等の記録媒体を再生して得たＴＳからＰＳＩを取得し（図４のステップＳ１）、ＭＰＥＧ２−ＴＳ ＰＳＩ解析装置１１によりＰＳＩを解析して、前回取得したＰＳＩと変更があったかどうか判定し（図４のステップＳ２）、変更があった場合のみそのＰＳＩの記述子を取得する（図４のステップＳ３）。
【００２６】
続いて、ＭＰＥＧ２−ＴＳ ＰＳＩ解析装置１１により、変更があったＰＳＩにコンポーネント記述子が存在するかどうか判定する（図４のステップＳ４）。コンポーネント記述子のプログラムへの挿入は任意である。従って、コンポーネント記述子が存在するときには、そのコンポーネント記述子が示すアスペクト比を取得するが（図４のステップＳ５）、コンポーネント記述子が存在しないときには、画面サイズとしてノーマルモードを選択する（図４のステップＳ６）。テレビ制御信号発生装置１４はこのステップＳ５又はＳ６の処理結果を受け、コンポーネント記述子が示すアスペクト比の画面サイズか、ノーマルモードの画面サイズを示す画面サイズ制御信号を生成してテレビジョン受像機２２へ出力する（図４のステップＳ７）。
【００２７】
続いて、ＭＰＥＧ２−ＴＳ ＰＳＩ解析装置１１により、変更があったＰＳＩにコンテント記述子が存在するかどうか判定する（図４のステップＳ８）。コンテント記述子のプログラムへの挿入は任意である。従って、コンテント記述子が存在するときには、そのコンテント記述子が示すジャンルを取得するが（図４のステップＳ９）、コンテント記述子が存在しないときには、照明は最高値の明るさ、画質はスタンダードを選択する（図４のステップＳ１０）。
【００２８】
続いて、照明制御信号発生装置１３は、ステップＳ９で取得したジャンルに対応した室内照明の明るさを示す情報を外部機器制御テーブル１２から得て、あるいは、ステップＳ１０で選択された照明の最高値の明るさを示す照明制御信号を生成して、室内照明機器２１に送信してその照明の明るさを制御する（図４のステップＳ１１）。
【００２９】
次に、テレビ制御信号発生装置１４は、ステップＳ９で取得したジャンルに対応した画質を示す情報を外部機器制御テーブル１２から得て、あるいは、ステップＳ１０で選択されたスタンダードの画質を示す画質制御信号を生成して、テレビ受像機２２に送信してその画質を制御する（図４のステップＳ１２）。
【００３０】
一方、テレビ受像機２２は、制御信号待ち状態（図４のステップＳ１３）にあり、このときステップＳ７でＭＰＥＧ２−ＴＳデコード機器１０から送信された画面サイズ制御信号を受信すると（図４のステップＳ１４）、その画面サイズ制御信号を判別して（図４のステップＳ１５）、画面サイズを設定する（図４のステップＳ１６）。また、制御信号待ち状態（図４のステップＳ１７）にあるテレビ受像機２２が、ステップＳ１２でＭＰＥＧ２−ＴＳデコード機器１０から送信された画質制御信号を受信すると（図４のステップＳ１８）、その画質制御信号を判別して（図４のステップＳ１９）、画質を設定する（図４のステップＳ２０）。
【００３１】
また、室内照明機器２１は、制御信号待ち状態（図４のステップＳ２１）にあり、このときステップＳ１１でＭＰＥＧ２−ＴＳデコード機器１０から送信された照明制御信号を受信すると（図４のステップＳ２２）、その照明制御信号を判別して（図４のステップＳ２３）、照明の明るさを設定する（図４のステップＳ２４）。
【００３２】
このように、本実施の形態によれば、ユーザーが好みに応じて、各ジャンルに応じて照明設定、画質設定を行うことにより、それらの設定情報が外部機器制御テーブル１２に登録され、受信又は再生したプログラムのＴＳから取得されるＰＳＩのコンテント記述子に基づき、室内照明機器２１の照明の明るさと、テレビ受像機２２の画質をユーザーが設定した明るさ及び画質に制御することができる。
【００３３】
また、本実施の形態では、コンポーネント記述子が示すアスペクト比の情報を利用して、受信又は再生したプログラムに応じて自動的に画面サイズを変更でき、従来に比べてＰＳＩの記述子の有効活用ができる。
【００３４】
次に、本発明の機器制御システムについて説明する。図５は本発明になる機器制御システムの第１の実施の形態のブロック図を示す。この実施の形態の機器制御システムは、外部機器制御装置としての、ＶＤＲなどのＭＰＥＧ２−ＴＳをデコードする機器３０と、この機器３０に接続された外部接続機器４１及び４２とからなる。ＭＰＥＧ２−ＴＳをデコードする機器３０に接続されている外部接続機器４１、４２は、内部の記述子解析部５１、５２で記述子の解析を行い、その解析結果に応じて機器固有の動作を行う。
【００３５】
ＭＰＥＧ２−ＴＳをデコードする機器３０は、本発明の他の実施の形態の外部制御装置を構成しており、内部にＰＳＩ解析部３１を有し、ＰＳＩの記述子（Descriptor）を抽出して外部へ出力する機能を有している。すなわち、図１に示したＭＰＥＧ２−ＴＳをデコードする機器１０は、内部のＭＰＥＧ２−ＴＳ ＰＳＩ解析部１１で記述子の解析を行い、その解析結果に基づいて外部機器の制御信号を出力するのに対し、このＭＰＥＧ２−ＴＳをデコードする機器３０は、内部では記述子の解析は行わず、記述子をＰＳＩから抽出して外部へ出力する点に特徴がある。
【００３６】
次に、図５の実施の形態の動作について図６のフローチャートと共に説明する。まず、ＭＰＥＧ２−ＴＳをデコードする機器３０は、受信中の又は再生中のプログラムのＰＳＩをＰＳＩ解析部３１で取得し（図６のステップＳ３１）、今回取得したＰＳＩが前回取得したものと内容に変更があるかどうか判定し（図６のステップＳ３２）、変更があるときには、取得したＰＳＩを構成しているＰＭＴやＳＩＴ（Selection Information Table）の記述子（Descriptor）をすべて取得し（図６のステップＳ３３）、それを外部へ送信する（図６のステップＳ３４）。ただし、マルチプログラムの場合は、受信又は再生していないプログラムのＰＭＴ，ＳＩＴに含まれる記述子は送出しない。なお、送信手段は有線、無線を問わない。
【００３７】
一方、オプショナル機器４０（図５の外部接続機器４１、４２）は、記述子受信待ち状態にあり（図６のステップＳ４１）、そのときにＭＰＥＧ２−ＴＳをデコードする機器３０から送信された記述子を受信すると（図６のステップＳ４２）、受信したその記述子を内部の記述子解析部（図５の５１、５２）で自身の機能に必要な記述子を抽出して解析し（図６のステップＳ４３）、その解析結果に基づいた機器固有の動作を行う（図６のステップＳ４４）。このように、本実施の形態によれば、ＭＰＥＧ２−ＴＳをデコードする機器３０から、受信中又は再生中のプログラムのＰＭＴ，ＳＩＴに含まれる記述子を外部に送出することで、記述子の内容を利用する外付けオプショナル機器４０を容易に追加できる。
【００３８】
次に、機器制御システムの他の実施の形態について説明する。図７は本発明になる機器制御システムの第２の実施の形態のブロック図を示す。同図中、図５と同一構成部分には同一符号を付してある。図７の実施の形態は、図５の外部接続機器４１、４２として室内照明制御装置６０を使用した機器制御システムである。
【００３９】
図７において、室内照明制御装置６０は、記述子解析部６１及び制御信号発生装置６２を有すると共に、信号制御パラメータ６３がユーザーにより指定できる。記述子解析部６１は、ＭＰＥＧ２−ＴＳをデコードする機器３０から送信された記述子を受信して解析する。制御信号発生装置６２は記述子解析部６１からの解析結果に基づいて、制御信号を生成して室内照明機器７１へ送信する。
【００４０】
次に、この実施の形態の動作について、図８のフローチャートを併せ参照して説明する。同図中、図６と同一処理ステップには同一符号を付し、その説明を省略する。室内照明装置６０は、記述子受信待ち状態にあるときに（図８のステップＳ５１）、ＭＰＥＧ２−ＴＳをデコードする機器３０から送信された記述子を受信すると（図８のステップＳ５２）、内部の記述子解析部６１で受信したその記述子のうち、プログラムのジャンルを示す記述子である前記コンテント記述子を解析し（図８のステップＳ５３）、受信中又は再生中のプログラムのジャンル（映画、アニメなど）を判断する（図８のステップＳ５４）。
【００４１】
制御信号発生装置６２は、記述子解析部６１による解析結果を受け、例えば、受信中又は再生中のプログラムが映画であれば室内照明は暗く、アニメであれば室内照明は明るくするような、ユーザ−に設定されたジャンルに対応した明るさとする照明制御信号を生成し、それを室内照明機器７１へ送信する（図８のステップＳ５５）。これにより、室内照明機器７１は、受信した照明制御信号に基づいて、その照明の明るさが制御される。
【００４２】
なお、本実施の形態も、照明の初期設定は図９の設定画面に示すように、最高値の明るさに設定しておく。この初期設定画面に対して、ユーザーの好みに応じて、図１０に示すように、各番組ジャンルに応じて照明設定を行う。例えば、番組ジャンルが映画の場合は照明設定が最も暗く設定され、また、番組ジャンルがアニメ・特撮の場合は照明設定が最も明るく設定される。
【００４３】
第１及び第２の実施の形態での、図５や図７における記述子を送受信する手段は、情報機器間を結ぶ無線通信技術であるBluetoothを利用する。ただし、近距離無線通信規格Bluetoothは一例として説明するものであって、家庭内無線通信規格ＨｏｍｅＲＦ（Home Radio Frequency）や、家庭用の電力線を利用した通信規格の一つであるHome Plugを利用することも可能で、この手段に限らない。
【００４４】
なお、本発明の実施の形態は以上の実施の形態に限定されるものではなく、例えばジャンルに応じて音声設定（ステレオかモノラルかの設定や、音量設定その他）を行うこともできる。また、抽出する記述子は所定の記述子に限定されるものではなく、抽出可能なすべての記述子を抽出するようにしてもよい。
【００４５】
図１１は本発明の機器制御システムの第３の実施の形態のブロック図を示す。この実施の形態の機器制御システムは、外部機器制御装置としての、ＶＤＲなどのＭＰＥＧ２−ＴＳをデコードする機器８０と、デコード機器８０に接続された上記の音声設定の外部接続機器の例としてのＡＶアンプ８２及びカーテン制御装置８７と、ＡＶアンプ８２に接続されたスピーカ９２と、カーテン制御装置８７に接続されたカーテン９３とから構成されている。
【００４６】
ここで、記述子の中には、音声コンポーネント記述子という、音声チャンネル数の情報を持つ音声コンポーネント記述子が存在する。受信又は再生中のプログラムの記述子から、現在視聴している番組のジャンルは映画で、チャンネル数は５.１ｃｈであるという情報が得られ、これらの情報に応じて、室内を暗くするためにカーテンを閉めてサラウンドの利いた５.１ｃｈの設定にするように外部接続機器を制御することが可能である。視聴している番組がニュースであれば、サラウンドは必要ないもので、モノラルやステレオといった設定が可能である。
【００４７】
図１１において、ＭＰＥＧ２−ＴＳをデコードする機器８０は、ＰＳＩ解析部３１及び通信ユニット８１を有する。通信ユニット８１と、後述する通信ユニット８３及び８８は、前述したBluetooth等の通信手段における入出力インターフェースであり、所定の帯域（２.４［ＧＨｚ］帯）を利用して、半径約１０ｍ〜１００ｍ範囲の同通信設備搭載の機器と最大３［Ｍｂｐｓ］で無線通信を行うことができる。また、通信ユニット８１、８３及び８８は、指向性を持たず、機器間に障害物があっても通信が可能である。従って、隣の部屋の機器とも通信ができることから、室内の機器の配置を考える必要もなく、導入し易い。通信ユニット８１と通信ユニット８３、８８との間の通信の仕組みは後述する。
【００４８】
ＡＶアンプ８２は、内部に通信ユニット８３、記述子解析部８４及びオーディオモード設定部８５を有する。更に、オーディオモード設定部８５は、内部にユーザーにより設定できる優先度パラメータ８６を有する。これは多彩なサラウンドフォーマットのどれを優先的に設定するかを判断するパラメータである。記述子解析部８３の解析結果に基づいて、オーディオモード設定部８４は優先度パラメータ８６を参照した上で、ＡＶアンプ８２に接続されているスピーカ９２に対してサラウンドの制御を行う。
【００４９】
カーテン制御装置８７は通信ユニット８８、記述子解析部８９及びカーテン制御部９０を有する。更に、カーテン制御部９０は内部にユーザーにより設定できる採光パラメータ９１を有する。これは視聴しているコンテンツに応じて、カーテンをどの程度オープン／クローズするか、ユーザーによる設定を可能とするためのパラメータである。記述子解析部８９の解析結果に基づいて、カーテン制御部９０は採光パラメータ９１を参照した上で、カーテン制御装置８７に接続されているカーテン９３を開閉制御する。
【００５０】
次に、この実施の形態の動作について、図１２のフローチャートを併せ参照して説明する。同図中、図８と同一処理ステップには同一符号を付し、その説明を省略する。ＭＰＥＧ２−ＴＳをデコードする機器８０は、記述子取得（図１２のステップＳ３３）に続いて、外部接続機器に記述子情報を送信するために、通信相手である外部接続機器（ＡＶアンプ８２及びカーテン制御装置８７）と接続が確立したかどうかを確認し（図１２のステップＳ６１）、接続が確立していれば記述子を送信し（図１２のステップＳ３４）、記述子送信が完了したことをユーザーに通知し（図１２のステップＳ６２）、設定完了待ち状態に入る（図１２のステップＳ６３）。
【００５１】
ステップＳ６１で接続が確立しないと判定した場合は、接続失敗をユーザーに通知し（図１２のステップＳ６４）、ユーザーに接続をリトライするかどうかを問い合わせる（図１２のステップＳ６５）。リトライを行わないのであればユーザーからリトライ要求を受けたことを確認するまで記述子の送信は行わない（図１２のステップＳ６６）。
【００５２】
ＡＶアンプ８２は記述子受信待ち状態にあるときに（図１２のステップＳ７１）、デコード機器８０から記述子を受信したときは（図１２のステップＳ７２）、受信した記述子の中の音声コンポーネントを解析し（図１２のステップＳ７３）、優先度パラメータ８６を参照して、オーディオモードを設定する（図１２のステップＳ７４）。ＡＶアンプ８２はオーディオモードを設定し終えたら、ステップＳ６３の設定完了待ち状態にあるデコード機器８０に対して設定完了通知を行う（図１２のステップＳ７５）。
【００５３】
同様に、カーテン制御装置８７は記述子受信待ち状態にあるときに（図１２のステップＳ８１）、デコード機器８０から記述子を受信したときは（図１２のステップＳ８２）、受信した記述子の中のコンテント記述子を解析し（図１２のステップＳ８３）、コンテンツのジャンルを取得する。そして、採光パラメータ９１を参照して、カーテン９３のオープン／クローズを制御する（図１２のステップＳ８４）。カーテン制御装置８７は、カーテンの制御を終えたら、ステップＳ６３の設定完了待ち状態にあるデコード機器８０に対して設定完了通知を行う（図１２のステップＳ８５）。
【００５４】
ステップＳ６３の設定完了通知待ち状態であるＭＰＥＧ２−ＴＳデコード機器８０は、ＡＶアンプ８２とカーテン制御装置８７から設定完了通知を受け取ると、再びＰＳＩの変化を監視する。
【００５５】
また、短形式イベント記述子という記述子は番組名や番組の内容説明を情報として持つので、図６のオプショナル機４０がディスクレコーダ（例えば、ＢＤレコーダ）とラベルプリンタである場合には、録画したディスク媒体に貼り付けるシールを自動生成するように制御させることができ、あるいは、このラベルプリンタがディスク媒体に直接レーザー光でラベル印字できるものであれば、録画後にラベル印字を動作制御させることができる。この場合はディスク媒体のライブラリ整理に有効である。
【００５６】
次に、通信ユニット８１と通信ユニット８２及び８７との間の通信の仕組みについて、図１３のシーケンス図と共に説明する。図１３はデータを送信するマスター側の通信ユニット１０１とデータを受信するスレーブ側の通信ユニット１０２との間の通信の仕組みを説明する。通信ユニット１０１は通信ユニット８１と通信ユニット８２（又は８７）のうちの一方であり、通信ユニット１０２は他方である。
【００５７】
通信ユニット１０１、１０２は起動するとスタンバイ状態となり、接続を待っている。スタンバイ状態では、マスター側通信ユニット１０１が接続したスレーブを呼び出す（ステップＳ９１）。指定のスレーブ側通信ユニット１０２が存在すれば、応答が返ってくる（ステップＳ９２）。一定の時間内に応答がなければ、接続は確立できなかったとして、その先には進まず、ユーザーに対して接続失敗通知を行う（図１２のステップＳ６４）。
【００５８】
一方、マスター側通信ユニット１０１はスレーブ側通信ユニット１０２から応答があった時は、スレーブ側通信ユニット１０２に対して接続要求を行い（ステップＳ９３）、それを受信したスレーブ側通信ユニット１０２はマスター側通信ユニット１０１に対して返答する（ステップＳ９４）。接続が確立されると、マスター・スレーブ共に接続状態へ遷移する。
【００５９】
この接続状態になると、データの送信を開始してよく、マスター側通信ユニット１０１はデータ送信をする（ステップＳ９５）。スレーブ側通信ユニット１０２はデータを受信し終えると、受信は正常に終了したとのメッセージを返す（ステップＳ９６）。マスター側通信ユニット１０１は送信するデータがなくなると、マスター切断要求を送信する（ステップＳ９７）。スレーブ側通信ユニット１０２はマスター切断要求を受信すると、切断許可のメッセージを応答送信し（ステップＳ９８）、マスター・スレーブの通信ユニット１０１及び１０２共に再びスタンバイ状態に戻る。
【００６０】
ところで、外部接続機器は受信した記述子の情報に基づいて自動的に制御を行うが、その制御後の状態が、ユーザーの意図と異なることもあり得る。ユーザーの意図と異なれば、ユーザーは手動で外部接続機器を操作して変更を行う。次に説明する実施の形態の外部接続機器は、ユーザーが行った変更を学習して、自然にユーザーの好みに合わせる、リジューム機能を有する。
【００６１】
図１４はリジューム機能を有する外部接続機器の一実施の形態のブロック図を示す。同図において、外部接続機器１２０は、通信ユニット１２１、記述子解析部１２２、制御部１２３、不揮発性メモリ１２４を有する。ユーザーが行った変更を解析した記述子に応じて不揮発性メモリ１２４にユーザー操作ログ１２５を残しておき、ユーザーがよく使うパターンを学習して、ユーザー設定パラメータ１２６を自動的に更新し、更新されたパラメータで次回設定を行う。
【図面の簡単な説明】
【００６２】
【図１】本発明の外部機器制御装置の一実施の形態のブロック図である。
【図２】図１の外部機器制御初期設定画面の一例を示す図である。
【図３】図１の外部機器制御設定画面の一例を示す図である。
【図４】図１の動作説明用フローチャートである。
【図５】本発明の機器制御システムの第１の実施の形態のブロック図である。
【図６】図５の動作説明用フローチャートである。
【図７】本発明の機器制御システムの第２の実施の形態のブロック図である。
【図８】図７の動作説明用フローチャートである。
【図９】図７の外部機器制御初期設定画面の一例を示す図である。
【図１０】図７の外部機器制御設定画面の一例を示す図である。
【図１１】本発明の機器制御システムの第３の実施の形態のブロック図である。
【図１２】図１１の動作説明用フローチャートである。
【図１３】通信ユニット同士の通信の仕組みの一例のシーケンス図である。
【図１４】リジューム機能を有する外部接続機器の一実施の形態のブロック図である。
【符号の説明】
【００６３】
１０、３０、８０  ＭＰＥＧ２−ＴＳをデコードする機器
１１  ＭＰＥＧ２−ＴＳ  ＰＳＩ解析装置
１２  外部機器制御テーブル
１３  照明制御信号発生装置
１４  テレビ制御信号発生装置
２１、７１  室内照明機器
２２  テレビ受像機
３１  ＰＳＩ解析部
４０  オプショナル機器
４１、４２、１２０  外部接続機器
５１、５２、６１、８４、８９、１２２  記述子解析部
６０  室内照明制御装置
６２  制御信号発生装置
６３  信号制御パラメータ
８１、８３、８８、１２１  通信ユニット
８２  ＡＶアンプ
８５  オーディオモード設定部
８６  優先度パラメータ
９０  カーテン制御装置
９１  採光パラメータ
９２  スピーカ
９３  カーテン
１２３  制御部
１２４  不揮発性メモリ
１２５  ユーザー操作ログ
１２６  ユーザー設定パラメータ
【図１】
2006345486.tif 000004
【図２】
2006345486.tif 000005
【図３】
2006345486.tif 000006
【図４】
2006345486.tif 000007
【図５】
2006345486.tif 000008
【図６】
2006345486.tif 000009
【図７】
2006345486.tif 000010
【図８】
2006345486.tif 000011
【図９】
2006345486.tif 000012
【図１０】
2006345486.tif 000013
【図１１】
2006345486.tif 000014
【図１２】
2006345486.tif 000015
【図１３】
2006345486.tif 000016
【図１４】
2006345486.tif 000017